(57)【特許請求の範囲】
【請求項１】
造営面に取り付けられる基台と、ランプを保持する灯具と、基台と灯具との間に介在するアームと、基台とアームとの間を連結する第１のジョイントと、アームと灯具との間を連結する第２のジョイントとを備え、第１のジョイントと第２のジョイントとの一方は連結する両部材を造営面と略平行な面内で互いに回動可能とし、他方は連結する両部材を造営面に略直交する面内で回動可能とし、第１のジョイントおよび第２のジョイントは、それぞれ互いに回動可能に結合された一対の回動部材と、各回動部材にそれぞれ固定され回動部材の回動範囲の全周に亙って互いに摺接する導電性の金属板よりなる一対の接触子とを備え、基台とアームと灯具とを通る電路が各ジョイントの接触子を通り、少なくとも前記一方のジョイントは、回動中心を中心として同軸的に形成された内筒および外筒を有する筒体と２組の一対の接触子とを備え、各一対の接触子は回動中心を中心として同軸的に配置され、一対の接触子の各摺接部は筒体の内筒を挟んで位置することを特徴とするスポットライト。
【請求項２】
各ジョイントを構成する一方の回動部材には複数個の第１の接触子が回動中心を中心として同軸的に配設され、他方の回動部材には各第１の接触子にそれぞれ接触する複数個の第２の接触子が配設され、基台とアームと灯具との間に形成される電路は基台とアームと灯具との中に内蔵されて成ることを特徴とする請求項１記載のスポットライト。
【発明の詳細な説明】
【０００１】
【産業上の利用分野】
本発明は、灯具を任意の向きに向けることができるスポットライトに関するものである。
【０００２】
【従来の技術】
従来より、造営面に対して略平行な面内および略直交する面内での回動を許すようなジョイントを用いて灯具を取り付けることによって、灯具を任意の向きに向けることができるようにしたスポットライトが提案されている。この種のスポットライトでは、造営面に取り付けた基台と灯具との間の電路を、基台と灯具との間を結ぶ電線によって形成しているのが現状である。電路を形成する電線は、基台と灯具との間で外部に露出している。
【０００３】
【発明が解決しようとする課題】
上述した従来技術では、灯具に至る電路を形成するために電線を用いているものであるから、灯具の可動範囲が電線の長さによって規制されることになる。したがって、電線の断線を防止しようとすればジョイントには灯具の可動範囲を規制するストッパを設けることが必要になる。その結果、可動範囲の両端付近で灯具の向きを調節する際に所望の位置がストッパにより制限される位置を挟んで反対側であるとすれば、ストッパが存在しなければ小さな回転角度で所望位置に灯具を調節することができるにもかかわらず、ストッパの存在によって所望位置までの回転角度が大きくなり、灯具の向きの調節作業が煩わしくなるという問題が生じる。
【０００４】
また、電線が外部に露出しているものであるから、外観を損なうという問題があり、しかも電線の張力が灯具などとの電気的接続部に作用するのを防止するために設けた張力止めを固定するためにビスのような固定具が必要であって、部品点数が多くなるという問題がある。
本発明は上記問題点の解決を目的とするものであり、ジョイントの回動範囲に制限が生じないようにして灯具の向きの調節を容易にし、しかも電線を用いることなく灯具への電路を形成することによって外観を向上させ、さらには電線の張力止めなどに用いる部品を不要として部品点数を削減したスポットライトを提供しようとするものである。
【０００５】
【課題を解決するための手段】
請求項１の発明は、上記目的を達成するために、造営面に取り付けられる基台と、ランプを保持する灯具と、基台と灯具との間に介在するアームと、基台とアームとの間を連結する第１のジョイントと、アームと灯具との間を連結する第２のジョイントとを備え、第１のジョイントと第２のジョイントとの一方は連結する両部材を造営面と略平行な面内で互いに回動可能とし、他方は連結する両部材を造営面に略直交する面内で回動可能とし、第１のジョイントおよび第２のジョイントは、それぞれ互いに回動可能に結合された一対の回動部材と、各回動部材にそれぞれ固定され回動部材の回動範囲の全周に亙って互いに摺接する導電性の金属板よりなる一対の接触子とを備え、基台とアームと灯具とを通る電路が各ジョイントの接触子を通り、少なくとも前記一方のジョイントは、回動中心を中心として同軸的に形成された内筒および外筒を有する筒体と２組の一対の接触子とを備え、各一対の接触子は回動中心を中心として同軸的に配置され、一対の接触子の各摺接部は筒体の内筒を挟んで位置することを特徴とする。
【０００６】
請求項２の発明は、請求項１の発明において、各ジョイントを構成する一方の回動部材には複数個の第１の接触子が回動中心を中心として同軸的に配設され、他方の回動部材には各第１の接触子にそれぞれ接触する複数個の第２の接触子が配設され、基台とアームと灯具との間に形成される電路は基台とアームと灯具との中に内蔵されて成ることを特徴とする。
【０００７】
【作用】
請求項１の発明では、ジョイントを構成する一対の回動部材に導電性の金属板よりなる接触子をそれぞれ固定し、両回動部材に設けた接触子を回動部材の回動範囲の全周に亙って互いに摺接させるので、ジョイントの両回動部材を無制限に回転させることが可能になる。すなわち、灯具への電路に電線を用いている従来構成に比較すれば、電線の断線を防止するためにストッパを設けて回動範囲を規制する必要がないのである。その結果、灯具の向きの調節が容易になる。
【０００８】
請求項２の発明では、一方の回動部材に設けた第１の接触子を回動中心を中心として同軸的に配置し、他方の回動部材に設けた第２の接触子を第１の接触子に弾接させることによって両接触子を回動部材の回動範囲の全周に亙って摺接させることができるようにしている。また、基台とアームと灯具との間に形成される電路を基台とアームと灯具との中に内蔵しているので、外部に電路が露出せず優れた外観に仕上げることができる。このように電路として外部に露出する電線を設ける必要がないから、電線の張力止め用の部材を設ける必要がなく、部品点数の削減につながるのである。
【０００９】
【実施例】
図２に本発明の外観形状を示す。天井面のような造営面６には基台１が固定され、基台１にはアーム２を介して灯具３が結合される。基台１とアーム２とは略円筒状に形成され、基台１とアーム２とを造営面６に略平行な面内で回動自在とする第１のジョイント４を介して結合されている。また、灯具３は、一面が開口する円筒状に形成されたハウジング３１を備え、ハウジング３１の中にはランプ（図示せず）を保持するランプソケット３２が内蔵される。灯具３はアーム２に対して造営面６に略直交する面内で回動自在とする第２のジョイント５を介して結合されている。
【００１０】
第１のジョイント４は、図１に示すように、基台１の端部に保持された摩擦リング４１と、摩擦リング４１に貫挿された筒状の保持基台４２と、保持基台４２に貫挿された保持軸４３と、摩擦リング４１に螺合する円筒状の締め付けリング４４とを備える。保持基台４２および保持軸４３は合成樹脂のような絶縁材料により形成される。
【００１１】
基台１は円筒状に形成され下端の内周側に内鍔片１１が形成される。内鍔片１１の中央部には円形の貫通孔１２が形成され、内鍔片１１の上方であって基台１の内周面には内鍔片１１よりも突出寸法の小さい環状リブ１３が突設される。摩擦リング４１は、貫通孔１２に挿通される筒部４１ａと、筒部４１ａの上端部外周面に突設され内鍔片１１と環状リブ１３との間に周部が挟持される円板状の摩擦板４１ｂと、筒部４１ａの下端部外周面に突設され内鍔片１１を挟んで摩擦板４１ａに対向する円板状の取付板４１ｃと、円筒状であって取付板４１ｃの周縁の下面に突設され外周面に雄ねじ部４１ｄが形成されたねじ筒４１ｅとを備える形状に連続一体に形成されている。このような形状の摩擦リング４１を基台１に装着するには、たとえば基台１を一対の半割体を結合することによって形成すればよい。摩擦リング４１のねじ筒４１ｅに設けた雄ねじ部４１ｄには、締め付けリング４４の内周面に形成された雌ねじ部４４ａが螺合する。締め付けリング４４の下端縁の全周には径方向の内側に向かって係止片４４ｂが突設され、アーム２の上端縁に形成されたフランジ２１の下面側に係止片４４ｂが当接し、締め付けリング４４のアーム２に対する上方への移動が規制されている。ここに、締め付けリング４４の内径は基台１の外径よりも小さく設定されている。
【００１２】
上述した構成によって、基台１とアーム２とは摩擦リング４１および締め付けリング４４を介して連結されることになり、アーム２は基台１に対して摩擦リング４１を回動軸として造営面６に略平行な面内で回動することになる。また、締め付けリング４４を締め付けると、締め付けリング４４が基台１を押すことによって摩擦リング４１がアーム２の方に引き付けられ、摩擦板４１ｂと内鍔片１１との接触圧が大きくなる。その結果、摩擦リング４１と基台１との間の摩擦力が大きくなり、アーム２は基台１に対して回り難くなる。逆に、締め付けリング４４を緩めれば、基台１に対してアーム２を容易に回動させることができるようになる。
【００１３】
保持基台４２は、摩擦リング４１の筒部４１ａに挿通される内筒４２ａと、内筒４２ａの中間部外周面で取付板４１ｃの下面に沿って突設された連結板４２ｂと、連結板４２ｂの周部下面に突設され内筒４２ａの下端部の外周を囲む外筒４２ｃとを備える形状に、連続一体に形成されている（図３参照）。内筒４２ａの中には導電性の金属板により形成された２個の接触子４５，４６の端子片４５ａ，４６ａが互いに離間した形で挿通される。接触子４５は、図４に示すように、円環状に形成された接触リング４５ｂの周縁の１箇所から端子片４５ａを連続一体に突設した形状に形成されている。接触リング４５ｂは、外筒４２ｃの内周面に沿うように配置され、端子片４５ａは連結板４２ｂの下面に沿って配設され内筒４２ａの隔壁を貫通して内筒４２ａの中に導入される。また、接触子４６は、図５に示すように、端子片４６ａの下端に略く字形のばね部４６ｂを介して接触片４６ｃを連続一体に設けた形状に形成される。保持基台４２の上端部には端子片４５ａ，４６ａの上端部を露出させる切欠部４２ｄが形成される。端子片４５ａ，４６ａは保持基台４２の内筒４２ａの中に挿入された保持軸４３の外周面と内筒４２ａの内周面との間に挟持されることによって保持基台４２に固定される。また、保持軸４３の上端部には鍔状の係止片４３ａが連続一体に形成され、保持基台４２の内筒４２ａの上端面に係止片４３ａが当接することによって保持基台４２に対して保持軸４３が位置決めされる。接触子４６の接触片４６ｃは保持軸４３の下端面の下方に位置する。
【００１４】
アーム２の上端面には、保持基台４２の内筒４２ａの中に挿入される円柱状の位置決め突起２２と、内筒４２ａの外周を囲む円筒状の仕切り筒２３とが突設されている。アーム２の中には導電性の金属板により形成された一対の電路板７が挿通され、各電路板７の上端部はアーム２の上端面から突出してそれぞれ接触子４７，４８に一体に連続する。接触子４７は、図４に示すように、接触子４５の接触リング４５ｂの内周面に弾接する。ここに、接触子４７に連続する電路板７は仕切り筒２３の隔壁を貫通しており、接触子４７は仕切り筒２３の外周面に沿って配置され、接触子４７の上端部は仕切り筒２３の外周面から離れる向きの弾性を有している。接触子４８は、図５に示すように、位置決め突起２２の上面から側面に沿うように略Ｌ形に形成される。この接触子４８には、接触子４６の接触片４６ｃが弾接する。
【００１５】
上述したように、接触リング４５ｂと接触片４６ｃとが同軸的に配設され、接触リング４５ｂには接触子４７が弾接し、接触片４６ｃは接触子４８に弾接するのである。したがって、基台１に対してアーム２を回動させたときに、どの位置であっても接触リング４５ｂと接触子４７および接触片４６ｃと接触子４８との接触状態が保たれることになり、基台１とアーム２とを制限なく回動させることができる。このように基台１に対するアーム２の回動範囲に制限がないことによって、アーム２を所望の向きに回転させるのが容易になるのである。
【００１６】
ところで、アーム２の下端部と灯具３とを結合する第２のジョイント５は、図６に示すように、円筒状に形成された灯具本体３１の一端部上面に突設された突板５１を備え、突板５１はアーム２を構成する一対の半割部材２ａ，２ｂの間に挟持される。各半割部材２ａ，２ｂは突板５１との対向面にそれぞれ切欠５２を有し、半割部材２ａ，２ｂを突き合わせたときに切欠５２の部分ではアーム２の下面および両側面に開放された溝が形成されることになる。この溝に突板５１が挿入されるのである。各半割部材２ａ，２ｂには突板５１の中心付近に形成された透孔５１ａに対応するように透孔５２ａが形成される。透孔５１ａ，５２ａには軸ねじ５３が挿通され、軸ねじ５３は両半割部材２ａ、突板５１、半割部材２ｂを通り、その後、半割部材２ｂの外側面で透孔５２ａの周囲に形成した凹所５２ｂに嵌着されるナット５４に螺合する。また、軸ねじ５３の先端部には半割部材２ｂの外側面に周部が当接するつまみナット５５が螺合する。
【００１７】
上記構成のジョイント５では、ナット５４を軸ねじ５３が緩まない程度に締め付けておき、つまみナット５５の軸ねじ５３に対する螺合量を調節すれば、軸ねじ５３の頭部とつまみナット５５との距離を調節することによって、半割部材２ａ，２ｂと突板５１との接触圧を調節することができるのであって、結果的に突板５１とアーム２との間の摩擦力を調節することになる。その結果、つまみナット５５を緩めておけば灯具３をアーム２に対して容易に回動させることができ、つまみナット５５を締め付ければ灯具３をアーム２に対して容易に回動しないように固定することができるのである。
【００１８】
切欠５２の内周面には、接触子４７，４８に連続する電路板７の下端部に一体に連続し切欠５２の内周面から離れる向きのばね力を有した接触子５６が露出し、突板５１の両側面で透孔５１ａの周囲に形成された円環状の接触子５７にそれぞれ接触子５６が弾接するようになっている。接触子５７は円環状であるから、アーム２に対する灯具３の回動範囲のどの位置でも接触子５６が接触する。
【００１９】
接触子５７は導電性の金属板により電路板８と連続一体に形成され、電路板８は灯具本体３１の中に配設されたランプソケット３２と接触子５７とを電気的に接続する。ランプソケット３２は灯具本体３１と一体に形成されている。このランプソケット３２には白熱電球などのねじ込み式口金を有するランプが保持される。また、灯具本体３１においてランプソケット３２の開口側とは反対側の面には蓋板３３が結合される。蓋板３３には突板５１の両側で灯具本体３１に形成された溝部３１ａにそれぞれ嵌合する一対の突部３３ａが形成される。突板５１は灯具本体３１の内部にも延長されていて、両電路板８が接触しないように両電路板８を仕切っており、この突板５１と突部３３ａとの間で電路板８を挟持することによって、電路板８ががたつきなく固定される。
【００２０】
上記構成によれば、２個のジョイント４，５を設けて灯具３を造営面６に対して任意の向きに向けることができるようにし、かつ各ジョイント４，５では接触子４５〜４８，５６，５７を摺接させているので、基台１とアーム２およびアーム２と灯具３との可動範囲において接触子が常時接触し、各ジョイント４，５によって結合される部材を無制限に回転させることができる。ここに、図示例では、アーム２の下端部に形成した溝内に灯具本体３１に突設した突板５１を挿入しているから、アーム２に対する灯具３の回動範囲が制限されることになるが、この範囲は不必要であるから回動範囲を制限しているのであって、必要があれば無制限に回動可能となるように第１のジョイント４と同様の構成を採用することも可能である。
【００２１】
さらに、上述したように、ランプソケット３２に至る電路を、導電性の金属板よりなる電路板７，８を用いて形成し、かつ基台１、アーム２、灯具３の中に電路板７，８を収納して外部に露出させないから、外部に露出する電線を用いる場合に比較して優れた外観に形成することができる。
上記実施例では基台１を造営面６に固定しているが、造営面６に固定した配線ダクトに対して基台１をスライド自在に取着してもよい。この場合、基台１の上端部には配線ダクトに嵌着される取付部を設け、かつ配線ダクトの中に長手方向に沿って配設されている電路に摺接する集電子を設ければよい。
【００２２】
【発明の効果】
請求項１の発明は、ジョイントを構成する一対の回動部材に導電性の金属板よりなる接触子をそれぞれ固定し、両回動部材に設けた接触子を回動部材の回動範囲の全周に亙って互いに摺接させるので、ジョイントの両回動部材を無制限に回転させることが可能になるのである。すなわち、灯具への電路に電線を用いている従来構成に比較すれば、電線の断線を防止するためにストッパを設けて回動範囲を規制する必要がなく、灯具の向きの調節が容易になるという利点がある。
【００２３】
請求項２の発明は、一方の回動部材に設けた第１の接触子を回動中心を中心として同軸的に配置し、他方の回動部材に設けた第２の接触子を第１の接触子に弾接させることによって両接触子を回動部材の回動範囲の全周に亙って摺接させ、また、基台とアームと灯具との間に形成される電路を基台とアームと灯具との中に内蔵しているので、外部に電路が露出せず優れた外観に仕上げることができるとともに、電路として外部に露出する電線を設ける必要がないから、電線の張力止め用の部材を設ける必要がなく、部品点数の削減につながるという利点を有するのである。
【図面の簡単な説明】
【図１】実施例に用いる第１のジョイントを示す断面図である。
【図２】実施例を示す外観斜視図である。
【図３】実施例に用いる保持基台を示す斜視図である。
【図４】実施例に用いる第１のジョイントの接触子を示す斜視図である。
【図５】実施例に用いる第１のジョイントの接触子を示す斜視図である。
【図６】実施例に用いる第２のジョイントと灯具とを示す分解斜視図である。
【符号の説明】
１  基台
２  アーム
３  灯具
４  第１のジョイント
５  第２のジョイント
６  造営面
７  電路板
８  電路板
４５  接触子
４５ｂ  接触リング
４６  接触子
４５ｃ  接触片
４７  接触子
４８  接触子
５６  接触子
５７  接触子
【図１】
0003582080.tif 000002
【図２】
0003582080.tif 000003
【図３】
0003582080.tif 000004
【図４】
0003582080.tif 000005
【図５】
0003582080.tif 000006
【図６】
0003582080.tif 000007